(57)【要約】【課題】田畑や家等の周りに鳥や獣等の動物が近寄らないようにするための動物除けであり、永久磁石によって動物が嫌う人工的な磁界を広範囲に形成することのできる新規な動物除けを提供する。【解決手段】永久磁石２０を有する本体１０と、着磁性を有する鋼線材によって環状に形成され、前記本体１０に突設された環状体３０とを備える。また、前記環状体３０は、前記本体１０に対して角度調節可能に回動自在に支持されている。また、前記環状体３０は、複数設けられている。【選択図】図１
2011030458.tif 000002
【特許請求の範囲】
【請求項１】
永久磁石を有する本体と、
着磁性を有する鋼線材によって環状に形成され、前記本体に突設された環状体と
を備えることを特徴とする動物除け。
【請求項２】
前記環状体は、前記本体に対して角度調節可能に回動自在に支持されている
ことを特徴とする請求項１に記載の動物除け。
【請求項３】
前記環状体は、複数設けられている
ことを特徴とする請求項２に記載の動物除け。
【発明の詳細な説明】
【技術分野】
【０００１】
本発明は、動物除けに関するものであり、詳しくは、田畑や家等の周りに鳥や獣等の動物が近寄らないように、動物が嫌う磁界を広範囲に形成することのできる動物除けに関するものである。
【背景技術】
【０００２】
農作物を荒らす鳥やネズミ等の動物が田畑に近寄らないようにするため、生ゴミを荒らすカラスや猫等の動物がゴミの収集所に近寄らないようにするため、或いは、庭木や洗濯物等に糞害を及ぼす猫やコウモリ等の動物が家の周りに近寄らないようにするために、従前より、種々の動物除けが案出されている。
【０００３】
例えば、案山子や大きな目玉を模した飾り等の動物除け、定期的に音を発する動物除け、定期的に光を発する動物除け等である。
【０００４】
しかしながら、このような動物除けは、動物を脅かして忌避させるものであり、動物が慣れてしまうと、動物を脅かして忌避させる効果を十分に発揮できなくなってしまう。また、音や光を発する動物除けでは、動力源を必要とし、恒久的に使用するのには不経済である。
【０００５】
また、動物が嫌う臭いを発する薬剤を散布して動物を忌避させることもあるが、頻繁に薬剤を散布するのは、やはり不経済であり、しかも、田畑や家の周りに薬剤を散布することは、自然環境を破壊することにもなりかねないため好ましくない。
【０００６】
ところで、渡り鳥や鳩等に代表されるように、動物の中には、地磁気を敏感に感じ取る動物がおり、自然界にない人工的な磁界を嫌う動物がいる。そこで、人工的な磁界を嫌う動物の性質を利用して、永久磁石によって動物を忌避させる動物除けも案出されている（特許文献１、特許文献２等参照）。
【０００７】
永久磁石を用いた動物除けによれば、動力源を必要とせず、経済的である。また、動物にとって磁界は慣れ難く、動物が嫌う磁界を形成して動物を忌避させるといった機能を恒久的に発揮させることができると考えられる。しかも、薬剤を散布するよりも自然環境を破壊することがなく、環境に悪影響を与え難い点でも好ましいと考えられる。
【発明の概要】
【発明が解決しようとする課題】
【０００８】
しかしながら、従来の永久磁石を用いた動物除けは、その永久磁石周りに人工的な磁界を形成することができるだけのものであり、広範囲に渡って動物が嫌う人工的な磁界を形成することは困難であった。
【０００９】
本発明は、上記実情を鑑みてなされたものであり、永久磁石によって動物が嫌う人工的な磁界を広範囲に形成することのできる新規な動物除けを提供することを課題とする。
【課題を解決するための手段】
【００１０】
上記課題を解決するために本発明の採った主要な手段は、
「永久磁石を有する本体と、
着磁性を有する鋼線材によって環状に形成され、前記本体に突設された環状体と
を備えることを特徴とする動物除け」
である。
【００１１】
ここで、「着磁性を有する鋼線材」とは、鉄鋼を材質とする線状の材料であり、磁石に吸着される性質を有する鋼線材を示すものである。
【００１２】
上記構成の動物除けでは、着磁性を有する鋼線材から環状に形成された環状体が、永久磁石を有する本体から突設されている。よって、上記構成の動物除けによれば、永久磁石を有する本体の周りばかりでなく、環状体の周りにも磁界を形成することができ、広い範囲に人工的な磁界を形成することができる。
【００１３】
上述した手段において、
「前記環状体は、前記本体に対して角度調節可能に回動自在に支持されている
ことを特徴とする動物除け」
とするのが好適である。
【００１４】
動物によっては、特に忌み嫌う磁界の形態があるものと考えられる。
【００１５】
上記構成の動物除けでは、環状体の角度が調節可能であることから、本体に対して環状体の角度を調節することで、対象の動物が最も嫌う形態の磁界を的確に形成することができる。
【００１６】
また、例えば、水平に対して所定の角度で環状体が傾いているのが理想である場合、本体を水平に置けない場合でも、本体に対する環状体の角度を調節することで、水平に対する理想的な角度の環状体を実現することができる。
【００１７】
上述した手段において、
「前記環状体は、複数設けられている
ことを特徴とする動物除け」
とするのが好適である。
【００１８】
上記構成の動物除けでは、本体に対する角度を調節可能な環状体が複数設けられていることから、各環状体の角度を個別に調節して各環状体によって形成される磁界を複雑に干渉させることで、より一層、多様な形態の磁界を形成することができる。
【発明の効果】
【００１９】
上述した通り、本発明によれば、永久磁石によって動物が嫌う人工的な磁界を広範囲に形成することのできる新規な動物除けを提供することができる。
【図面の簡単な説明】
【００２０】
【図１】本発明に係る動物除けの一例を示す斜視図である。
【図２】図１に示した動物除けの縦断面図である。
【図３】本発明に係る動物除けの別の例を示す斜視図である。
【図４】動物除けの他の使用例を示す斜視図である。
【発明を実施するための形態】
【００２１】
本発明に係る動物除けの実施形態としての一例を、以下、図面に従って詳細に説明する。
【００２２】
図１及び図２に、動物除け１００の一例を示す。
【００２３】
この動物除け１００は、円柱状の本体１０と、着磁性を有する鋼線材から環状に形成され、本体１０から突出する二つの環状体３０とを有するものであり、本体１０には、永久磁石２０が内蔵されている。
【００２４】
なお、具体的に、本体１０は、直径６０ｍｍ、高さ３７ｍｍの円柱状に形成されている。また、環状体３０は、直径４ｍｍの鋼線材を直径２５０ｍｍの円形にループさせたものである。
【００２５】
本体１０は、夫々、磁気による影響を受けない金属や樹脂等、すなわち、着磁性を有しない材料（非着磁性の材料）によって形成された基台部材１１及び蓋部材１２を有しており、基台部材１１の内部に直方体形状の永久磁石２０が収容されている。また、基台部材１１に収容された永久磁石２０は、基台部材１１に被せた蓋部材１２によって隠蔽されている。また、基台部材２０には、本体１０内に侵入した水が永久磁石２０を収容する凹部に溜まらないように、底面に貫通する水抜き穴（図示省略）が設けられている。
【００２６】
なお、本例では、基台部材１１及び蓋部材１２が、非着磁性の材質であるアルミニウム合金によって形成されている。また、永久磁石２０として、０．４Ｔ（テスラ）（４０００Ｇ（ガウス））程度のネオジウム磁石を採用している。
【００２７】
本体１０を構成する基台部材１１と蓋部材１２とは、夫々に設けられたボルト孔に挿通したボルト１３と、このボルト１３の先端に螺着されたナット１４とによって堅固に一体化されている。
【００２８】
また、互いに当接する基台部材１１の上面と蓋部材１２の底面とには、夫々溝１１ａ，１２ａが設けられており、基台部材１１の溝１１ａと蓋部材１２の溝１２ａとの間にて、環状体３０を構成する一本の鋼線材の両端が挟持されている。
【００２９】
ここで、基材部材１１の溝１１ａ及び蓋部材１２の溝１２ａは、環状体３０を構成する鋼線材の直径よりもわずかに小さい寸法となっている。また、基台部材１１の溝１１ａと蓋部材１２の溝１２ａとの間で挟持された環状体３０は、挟持部分が鋼線材の軸線回りに回動自在となっている。よって、ボルト１３を緩めることで、本体１０に対する各環状体３０の角度を自由に調節することができ（図１の矢印Ａ，Ｂ参照）、ボルト１３を締めることで、本体１０に対する環状体３０の姿勢を堅固に維持させることができる。
【００３０】
ところで、本例の動物除け１００では、基台部材１１と蓋部材１２とを、夫々のボルト孔に挿通されたボルト１３によって一体化していることから、例えば、本体１０とは別途の支持台に本体１０を取付ける場合には、基台部材１１及び蓋部材１２の各ボルト孔にボルト１３を挿通し、このボルト１３を用いて支持台にボルト止めすることができる。
【００３１】
なお、本例では、上記ボルト１３の他に、基台部材１１または蓋部材１２の一方に設けられた雌ネジに螺合するロックボルト１５によって、基台部材１１と蓋部材１２とが一体化されている（図示省略するが、本例では、蓋部材１２にロックボルト１５のボルト孔が設けられ、基台部材１１にロックボルト１５の雌ネジが設けられている）。そして、ロックボルト１５は、その先端が基台部材１１または蓋部材１２の一方に設けられた雌ネジを貫通して突出しており、突出した先端部分を潰すことで、ロックボルト１５が外れないようにしてある。これにより、環状体３０の角度を調節するためにボルト１３を緩めたり、本体１０を別途の支持台に取付けるためにボルト１３を外したとしても、本体１０が分解してしまわないような配慮がなされている。
【００３２】
本例の動物除け１００では、着磁性を有する環状体３０周りに磁界が形成されることから、広範囲に磁界を形成することができる。特に、本例では、環状体３０を構成する鋼線材の両端部を本体１０に内蔵された永久磁石２０に接触させており、環状体３０周りに効率よく磁界が形成されるようにしてある。よって、人工的な磁界を嫌うカラス等の鳥類、猫等の獣類、サメ等の魚類等、種々の動物を、この動物除け１００周りから良好に忌避させることができる。
【００３３】
また、上述のような構造によって、本体１０に対して角度を調節可能に環状体３０が回動自在に支持されており、磁界の形態を自由に変化させることができる。よって、本例の動物除け１００によれば、忌避の対象となる動物が嫌う磁界の形態を探って、最も嫌がる磁界を形成することができ、この点からも、動物を良好に忌避させることができる。
【００３４】
また、本体１０に対して環状体３０が回動自在であることから、本体１０の姿勢に関わらず、動物が嫌う形態の磁界が形成されるように環状体３０の角度を調節することができ、本体１０の設置場所の自由度を向上させることができる。
【００３５】
さらに、回動自在な環状体３０が複数設けられていることから、各環状体３０の角度を個別に調節することで、各環状体３０周りの磁界を干渉させて複雑な形態の磁界を形成することもできる。よって、忌避の対象となる動物が最も嫌う磁界の形態を、的確に探り出すこともできる。
【００３６】
次に、実証結果を以下に説明する。
【００３７】
＜実証結果１＞
パン屑や米によって餌付けされた鳩が多数飛来する公園にて、上述例の動物除け１００を１ｍ間隔で複数設置したところ、全ての鳩が即座に各動物除け１００から離れ、その後、動物除け１００周りに近寄ることはなかった。
【００３８】
特に、環状体３０の角度を水平としたところ、全ての鳩は、動物除け１００を中心に１ｍ以内に近づくことはなかったのであるが、環状体３０の角度を水平に対して４５°としたところ、全ての鳩は、動物除け１００を中心に２ｍ以内に近づくことはなかった。
【００３９】
＜実証結果２＞
民家周りの猫の通り道に、上述例の動物除け１００を、環状体３０の角度を水平に対して４５°として一つ設置したところ、その後、その通り道を猫が通ることはなくなった。
【００４０】
＜実証結果３＞
コウモリの糞害が激しい民家の軒先に、上述例の動物除け１００を、各環状体３０を水平として一つを設置したところ、設置後は、コウモリの糞害がなくなった。
【００４１】
以上、本発明に係る動物除け１００の一例を説明したが、本発明に係る動物除け１００は、上述の例に限らず、本発明の要旨を逸脱しない範囲で、適宜の変更が可能である。
【００４２】
例えば、本体１０の大きさ、環状体３０の大きさや永久磁石２０の磁力の強さについては、適宜の変更が可能である。また、環状体３０の形状としては、環状であればよく、円状に限らず、三角形や矩形等、種々の形状を採用することができる。
【００４３】
また、環状体３０は、本体１０に対して二つに限らず、図３に示すように、四つとして、各環状体３０を、夫々、本体１０に対して個別に回動できるようにしてもよい（図３の矢印Ａ，Ｂ，Ｃ，Ｄ参照）。
【００４４】
また、動物除け１００の使用態様としては、設置場所に本体１０を置くことに限らず、支持台等を用いて竿先に取付けて、竿を立てて空中に設置したり、図４に示すように、連結具１０１を用いて複数の動物除け１００を連結してぶら下げる等、種々の態様で使用することができる。
【００４５】
また、サメも人工的な磁界を嫌う性質があると思われることから、本発明の動物除け１００をロープでぶら下げる等して海中に設置することで、サメ除けとしての効果も期待することができる。
【００４６】
また、本発明の動物除け１００を浮き等を用いて水面に浮かべることにより、水面近くの魚類を忌避させたり、水面に飛来する鳥類を忌避させることができる。
【符号の説明】
【００４７】
１０  本体
１１  基台部材
１１ａ  溝
１２  蓋部材
１３  ボルト
１４  ナット
１５  ロックボルト
２０  永久磁石
３０  環状体
１００  動物除け
１０１  連結具
【先行技術文献】
【特許文献】
【００４８】
【特許文献１】特開平７−６７５１３号公報
【特許文献２】特開平８−２３８６３号公報
【図１】
2011030458.tif 000003
【図２】
2011030458.tif 000004
【図３】
2011030458.tif 000005
【図４】
2011030458.tif 000006